(57)【要約】【課題】  保護層でオーバーコートされた熱可逆性発色組成物を用いた記録媒体を洗浄する際、油性溶剤系の洗浄剤を用いると前記保護層を侵してしまい、前記記録媒体を使用不可能にする欠点があった。また、界面活性剤を配合した水性系洗浄剤を用いた場合でも、僅かなクラックから洗浄剤が浸入してしまうとひび割れ状に変色することがあり、前記記録媒体の寿命を著しく短縮してしまう欠点があった。【解決手段】  金属イオン封鎖剤、防腐剤、プロピレングリコール、水のみからなることを特徴とする熱可逆性発色組成物を用いた記録媒体用洗浄剤。【特許請求の範囲】
【請求項１】
金属イオン封鎖剤、防腐剤、プロピレングリコール、水のみからなることを特徴とする熱可逆性発色組成物を用いた記録媒体用洗浄剤。
【発明の詳細な説明】
【技術分野】
【０００１】
本発明は、熱可逆性発色組成物を用いた記録媒体の洗浄に特化した洗浄剤に関するものである。
【背景技術】
【０００２】
温度に依存して透明度が可逆的に変化する感熱層を有する熱可逆性発色組成物を用いた記録媒体が知られており、特開昭５５−１５４１９８号公報、特開平３−２０８９号公報、特開平５−１２４３６０号公報、特開平６−２５５２４７号公報などが知られている。これらの記録媒体は、一時的な画像表示が行なえ、不要となったときにはその画像の消去ができるので、シート状物などに加工して繰り返し使用できる記録媒体として用いられている。
通常これらの記録媒体は、熱可逆性発色組成物層の上面に保護層を設けた構成をしている。この保護層は、水溶性高分子や疎水性高分子化合物の水性エマルジョンを主体として形成された被膜や、紫外線硬化性樹脂や電子線硬化性樹脂等の硬化性樹脂を主体として形成した被膜等を用いられている。
ところで、これらの記録媒体は繰り返し使用できることが特徴である一方、繰り返し使用しているうちに、前記保護層に汚れが付着する欠点があった。汚れが付着すると鮮明な記録ができなるし、特に汚れがひどくなるとサーマルヘッドなどの画像付与機器に悪影響を及ぼし、故障の原因となることがあった。
そこで、特開平０７−１１２５８４の如き洗浄装置を通過させ、洗浄剤を用いて汚れを除去するのであるが、油性溶剤系の洗浄剤を用いると前記保護層を侵してしまい、前記記録媒体を使用不可能にする欠点があった。また、特開平４−８０２７１号公報に記載があるような界面活性剤を配合した水性系洗浄剤を用いた場合でも、僅かなクラックから洗浄剤が浸入してしまうとひび割れ状に変色することがあり、前記記録媒体の寿命を著しく短縮してしまう欠点があった。
【０００３】
【特許文献１】特開平４−８０２７１号公報
【発明の開示】
【発明が解決しようとする課題】
【０００４】
そこで、本発明は保護層でオーバーコートされた熱可逆性発色組成物を用いた記録媒体を侵すことのない専用の洗浄剤を提供することを目的としている。
【課題を解決するための手段】
【０００５】
前記課題を解決する為に、金属イオン封鎖剤、防腐剤、プロピレングリコール、水のみからなることを特徴とする熱可逆性発色組成物を用いた記録媒体用洗浄剤を提供する。
【発明の効果】
【０００６】
本発明の洗浄液は、熱可逆性発色組成物を用いた記録媒体の保護層を侵すことがなく、また、前記保護層に入った微細な亀裂から本発明の洗浄剤が浸入しても、熱可逆性発色組成物自体を侵すことがない。
【発明を実施するための最良の形態】
【０００７】
以下、本発明を詳細に説明する。
本発明の洗浄剤は、金属イオン封鎖剤、防腐剤、プロピレングリコール、水のみを必須構成要件とし、界面活性剤、乳化剤、高分子脂肪酸、他の有機溶剤などを配合していない。
【０００８】
本発明洗浄剤に用いられる金属イオン封鎖剤としては、エチレンジアミン四酢酸塩、縮合リン酸塩、ジヒドロキシエチルグリシン、グルコン酸、クエン酸、酒石酸、ニトリロ三酢酸塩、Ｎ−ヒドロキシエチルエチレンジアミン−Ｎ，Ｎ′，Ｎ″−トリアセテート、ジエチレントリアミンペンタ酢酸塩、トリエチレンテトラミン六酢酸塩、ヒドロキシエチルイミノ二酢酸塩、ジヒドロキシエチルグリシンなどを例示することができる。特に、エチレンジアミン四酢酸塩が好ましい。
これらの金属イオン封鎖剤は、１又は２以上を選択して使用でき、インキ全量に対して０．０１〜２０重量％程度を使用することができる。
【０００９】
本発明洗浄剤に用いられる防腐剤としては、安息香酸ナトリウム、１，２−ベンズイソチアゾリン−３−オン、１，２−ベンズイソチアゾリン−３−オンナトリウム塩、１，２−ベンズイソチアゾリン−３−オンアルキルアミン塩、ソルビン酸カリウム、デヒドロ酢酸ナトリウム、２−メトキシカルボニルアミノベンズイミダゾール−４‘−Ｎ−ドデシルベンゾールスルフォン酸などの防腐剤などを例示することができる。
これらの防腐剤は、１又は２以上混合して用いることができ、インキ全量に対して０．０１〜２０重量％程度を使用することができる。
【００１０】
他に本発明洗浄剤にはプロピレングリコールが用いられる。
プロピレングリコールは、表面張力を下げ、汚れとの親和力を向上させるために用いられ、インキ全量に対して０．０１〜５０重量％、好ましくは０．１〜１０重量％程度を使用することができる。
【００１１】
また、本発明洗浄剤に用いられる溶剤は、水である。
水は特に限定されないが、不純物を除いたものが好ましく、蒸留水、ろ過水、純水が好ましく用いられ、インキ全量に対して３０〜９９．５重量％、好ましくは９０〜９９重量％程度を使用することができる。
【００１２】
本発明の洗浄剤は、通常無色透明であるが、他の溶剤と判別しやすくするために僅かに食用色素などを配合してもよい。
以下、本発明を実施例により説明するが、本発明はこれらの実施例に限定されるものではない。
【実施例】
【００１３】
（実施例１）
エチレンジアミン四酢酸ナトリウム塩                      １．０重量％
１，２−ベンズイソチアゾリン−３−オンナトリウム塩      ０．５重量％
プロピレングリコール                                    １．０重量％
水                                                    ９７．５重量％
以上の物質を混合し、保護層でオーバーコートされた熱可逆性発色組成物を用いた記録媒体用の洗浄液を得た。
【００１４】
（実施例２）
エチレンジアミン四酢酸ナトリウム塩                      １．０重量％
１，２−ベンズイソチアゾリン−３−オンアルキルアミン    ０．５重量％
プロピレングリコール                                    ０．５重量％
水                                                    ９８．０重量％
以上の物質を混合し、保護層でオーバーコートされた熱可逆性発色組成物を用いた記録媒体用の洗浄液を得た。
【００１５】
（比較例１）
モノエタノールアミン                                  １５．０重量％
メタケイ酸ナトリウム                                    ３．０重量％
ジエチレングリコールモノメチルエーテル                  ５．０重量％
エチレンジアミン四酢酸四ナトリウム                      ２．０重量％
第２級アルカンスルホネート                              １．７重量％
１，２−ベンズイソチアゾリン−３−オンアルキルアミン    ０．５重量％
水                                                    ７３．３重量％
以上の物質を混合して、特開平４−８０２７１号の実施例３の洗浄液を得た。
【００１６】
（消去性試験）
特開平０７−１１２５８４の如き洗浄装置に、本実施例及び比較例の洗浄液を水槽に入れ、保護層でオーバーコートされた熱可逆性発色組成物を用いた記録媒体を１００回通過させたときの記録媒体の様子を観察した。
＜評価＞  ○：変化なし。        ×：ひび割れ状に黒ずんだ。
【００１７】
以下、試験結果を表にする。
（表１）
┌──────┬─────┐
│            ｜消去性試験｜
├──────┼─────┤
｜  実施例１  ｜    ○    ｜
├──────┼─────┤
｜  実施例２  ｜    ○    ｜
├──────┼─────┤
｜  比較例１  ｜    ×    ｜
└──────┴─────┘